(57)【要約】【課題】建物の建設中において、すでに施工が完了したガス管や水道管などの配管に、くぎ等の打ち込みによる発生する破損を、遠隔地から監視する装置を提供する。【解決手段】ガスや水道の配管７にあらかじめ空気もしくは窒素ガスにより一定の圧力をかけておき、配管内の圧力が低下したら出力が変化する圧力センサ３を接続コネクタ６aで接続し、圧力センサの変化を電気信号により検出する検出手段を有した制御装置２と、この制御装置２からの指令信号により音声回線を用いて発信可能な通信手段１を持ち、配管に異常が発生し圧力センサの変化があった場合は、事前に設定した配管の異常を表す回数の通信を音声回線を用いて発信可能な通信手段を用いて一定の間隔で行うことで、メールなどのデータ通信を使用しなくとも監視を行うことが可能となる。 【選択図】図４
2014103610.tif 000002
【特許請求の範囲】
【請求項１】
ガスや水道の配管にあらかじめ空気もしくは窒素ガスにより一定の圧力をかけておき、この圧力が低下したら出力が変化する圧力センサを配管に接続し、圧力センサの出力変化を電気信号により検出する検出手段を有した制御装置と、この制御装置からの信号により音声回線を用いて発信可能な通信手段を持ち、配管に異常がなく圧力センサの変化がない場合は、事前に設定した装置が正常に動作していることを表す回数の通知を、音声回線を用いて発信可能な通信手段により一定の時間内であらかじめ設定した間隔で行い、配管に異常が発生し圧力センサの変化があった場合は、事前に設定した配管の異常を表す回数の通信を、音声回線を用いて発信可能な通信手段により一定の時間内であらかじめ設定した間隔で行うことを特徴とする配管異常通知装置。
【請求項２】
請求項１の配管異常通知装置において、圧力センサを複数搭載し、複数の配管を同時に監視することを特徴とした配管異常通知装置。
【請求項３】
請求項１もしくは請求項２の配管異常通知装置において、圧力センサの一部もしくは全てを切り離して設置し、無線通信により圧力センサの変化を制御装置に通知することで、離れた場所に設置されている配管の異常を監視できることを特徴とした配管異常通知装置。
【発明の詳細な説明】
【技術分野】
【０００１】
この発明は、ガスや水道の配管施工途中において、何らかの原因で配管からの漏れが発生したことを速やかに施工業者もしくは顧客に通知するための配管異常通知装置を提供する。
【背景技術】
【０００２】
建物内や地下にガスや水道の配管を施工するとき、何らかの原因で配管から漏れが発生するような損傷を受ける場合がある。施工時あるいは施工直後にそのようなことがあった場合は、発見は容易であるため、補修作業を早急に行うことができる。しかし、工事の工程上、数日から数週間、当該現場で作業を行わない場合がある。この期間内に配管が損傷を受けても配管工事をした者は気付かず、後日このことが分かっても建物の床壁や造成地の舗装工事が進んでいるので、損傷箇所の特定や補修作業は困難となる。従来技術では、あらかじめ施工を完了した配管に空気や窒素ガスにより一定の圧力をかけ、圧力計を配管端部に接続し、圧力の低下を定期的に観測することで、配管に異常がないか確認を行なっていた。
【先行技術文献】
【特許文献】
【０００３】
【特許文献１】特開平８−５５０２号公報
【特許文献２】特開平８−２６１８６５号公報
【特許文献３】特許第３９３５０４０号公報
【特許文献４】特開平１１−８２９００号公報
【発明の概要】
【発明が解決しようとする課題】
【０００４】
しかし、特許文献１、特許文献２、特許文献３の方法で確認を行うためには、建設現場を一定間隔で見回り、配管に異常がないか目視で確認する必要があった。特許文献４の方法では監視データを遠距離まで伝送するための無線通信手段が必要であり、データ通信機能を持った通信機もしくは携帯電話を使用する必要があった。そのため、装置が高価なものとなる、監視を行うためには専用の機器を用意する必要があるなどの問題点があった。
【課題を解決するための手段】
【０００５】
本発明は、上記課題を解決するためになされたものであり、音声通信回線を用いて通知する回数により、装置が正常に動作していることと、配管に漏れなどの異常が発生したことを区別し、遠隔地から監視することを目的とした装置である。
【０００６】
上記の問題を解決するために、本発明の配管異常通知装置は、次の機能を有している。
（１）ガスや水道の配管にあらかじめ空気もしくは窒素ガスにより一定の圧力をかけておき、この圧力が低下したら出力が変化する圧力センサを配管に接続し、圧力センサの変化を電気信号により検出する検出手段を有した制御装置と、この制御装置からの指令信号により音声回線を用いて発信可能な通信手段を持ち、配管に異常がなく圧力センサの変化がない場合は、装置が正常に動作していることを表す事前に設定した回数の通知を音声回線による通信手段を用いて一定の時間内であらかじめ設定した間隔で行い、配管に異常が発生し圧力センサの変化があった場合は、事前に設定した配管の異常を表す回数の通信を音声回線を用いて発信可能な通信手段を用いて一定の間隔で行うことを特徴とする。
【０００７】
（２）（１）に記載の配管異常通知装置において、圧力センサを複数搭載し、複数の配管を同時に監視することを特徴とする。
【０００８】
（３）（１）又は（２）に記載の配管異常通知装置において圧力センサの一部もしくは全てを切り離して設置し、無線通信により圧力センサの変化を制御装置に通知することで、離れた場所に設置されている配管の異常を監視できることを特徴とする。
【発明の効果】
【０００９】
上記構成を有する配管異常通知装置の作用効果について説明する。
まず、（１）に記載する発明は、ガスや水道の配管にあらかじめ空気や窒素ガスにより一定の圧力をかけておき、この圧力が低下したら出力が変化する圧力センサを配管に接続し、圧力センサが変化したことを電気信号により検出する制御装置により検出し、この制御装置を用いて、圧力センサの変化がない場合は、事前に設定した装置が正常に動作していることを表す回数の通知を一定の時間内であらかじめ設定した間隔を持って行い、配管に異常が発生し圧力センサの変化があった場合は事前に設定した配管の異常を表す回数の通知を一定の時間内で行うため、装置の正常動作と配管異常検出を音声通信回線により発信可能な通信手段のみで監視できる。そのため、監視データを電子メールやデータ通信、特殊な無線装置などの通信手段は必要なく、通常の音声通信回線を用いて発信可能な固定電話、携帯電話、PHS、IP電話、スマートフォンやパーソナルコンピュータで動作する音声通信ソフトウェアで配管の異常を遠隔地から監視することができる。そのため、メールなどのデータ通信を使用しなくとも監視を行うことが可能となる。
【００１０】
（１）の発明の配管異常通知装置を用いることで、すでに施工が完了したガス管や水道管の配管に、くぎの打ち込みや、施工不良により漏れが発生したことを、遠隔地から監視することが可能となる。
【００１１】
一例として、装置が正常に動作している場合は、２４時間ごとに１回の音声通信回線を用いて発信可能な通信手段により通知を行い、配管に異常があった場合は１分おきに合計３回の音声通信回線を用いて発信可能な通信手段により通知を行うように設定しておけば、装置の正常動作と配管の異常を同時に監視できる。
【００１２】
この設定では、装置が正常に動作していれば、本発明の装置を現場に設置した時間から２４時間経過ごとに設定した通知先に１回の通知が行われる。
【００１３】
このため、毎日装置を設置した時間と同じ時間に本発明の装置に組み込まれた音声通信回線を用いて発信可能な通信手段から１回の通知があれば、装置が正常に動作していると判断できる。
【００１４】
もし、電池切れや装置の故障などで本発明の装置に異常が発生した場合は、装置を設置した時間に行われるはずの通知が行われないため、使用者は本発明の装置に異常が発生したと判断できる。
【００１５】
一方、配管に異常を検出した場合は、即座に１分間隔で３回の通知が行われる。
【００１６】
この通知は異常の発生を検出すると即座に行われるため、装置の設置時間とは関係ない時間での通知となり、正常動作を表す通知と区別することが可能である。
【００１７】
また、本発明の装置に組み込まれた音声通信回線を用いて発信可能な通信手段から１分間隔で３回通知が来るため、仮に装置を設置した時間と同じ時間に配管の異常が発生した場合でも通知の回数の違いにより本発明の装置に異常の発生した場合の通知と明らかに区別することができる。
【００１８】
これらのことにより、電子メールやデータ通信機能などが付いていない音声通信回線を用いて発信可能な通信手段である固定電話、携帯電話、PHS、IP電話、スマートフォンやパーソナルコンピュータで動作する音声通信ソフトウェアでも本発明の装置が正常に動作していることの確認と配管の異常を同時に監視することができる。
【００１９】
また、本発明の装置を駆動させた直後に、即座に装置の異常を計測し、異常がなければ異常がないことを表す回数の通知を音声通信回線により発信可能な通信手段により行う設定としておけば、装置を正常に設置したことの確認と、装置を設置した時間の確認が同時に行える。
【００２０】
正常動作を確認するための通知の回数や間隔、および配管の異常を表す通知回数や間隔を事前に変更する構成とすれば、正常動作の確認間隔や配管の異常を通知する時間などを使用者の要望に合わせて変更可能である。
【００２１】
（２）の配管異常通知装置は、（１）配管異常通知装置において、圧力センサを複数搭載することで、複数の配管を同時に監視可能としたことを特徴とする配管異常通知装置である。
【００２２】
建物の配管は主にガス管と水道管の２系統で構成されているため、複数のセンサを接続することで、ガス管と水道管の同時監視が可能となる。
【００２３】
ガス管と水道管は別系統の配管であるため個別に破損がないかを調べる必要があるが、（２）の配管異常通知装置を用いることで、系統が違う配管を同時に監視することができる。
【００２４】
ガス管や水道管に破損が無いかの監視は、ガス管、水道管双方に空気もしくは窒素ガスにより一定の圧力をかけ、（２）の配管異常通知装置を用いて圧力の低下を調べることで行われる。
【００２５】
また、圧力の変化があった圧力センサに対応するＬＥＤ表示器やＬＣＤ表示器を搭載することで、どの配管に異常があったかを確認することが可能である。
【００２６】
ガス管の異常を通知することを表す発信回数と水道管の異常を表す発信回数を違った回数に設定しておけば、どちらの配管に異常が発生したかを遠隔地から容易に確認することができる。
【００２７】
ガス管と水道管の配管部は通常違った部品で構成されているため、どちらの配管が破損したかを把握できれば、修理用の部品を事前に用意でき、修理の効率化への貢献も可能となる。
【００２８】
もちろん、配管の異常のみを監視すれば良い目的であれば異常を通知する回数を同じにしても良い。
【００２９】
また、複数の圧力センサを用いることで配管を複数の系統に分離し、それぞれの系統で配管の異常がないか監視することが可能となる。
【００３０】
さらに、複数の圧力センサを用いることで、ガス管、水道管の他に空調用の配管の異常なども同時に監視することが可能である。
【００３１】
（３）の配管異常通知装置は、（１）又は（２）に記載の配管異常通知装置において圧力センサの一部もしくは全てを切り離して設置し、無線通信により圧力センサの変化を制御装置に通知することで、離れた場所に設置されている配管の異常を監視できることを特徴とした配管異常通知装置である。
【００３２】
（３）の発明を用いることで、離れた場所に圧力センサを設置することが容易になるため、複数の部屋を有するアパートやマンションで部屋ごとの配管監視に使用可能である。
【００３３】
アパートやマンションでは、部屋ごとにガス管や水道管が分けて設置されているために、個別に監視することが望ましいが、部屋間の距離が離れているため有線式の監視装置で対応することは難しい。（３）の発明は、無線によるデータ入力機能を備えかつ音声通信回線を用いて発信可能な通信手段を搭載し、固定電話、携帯電話、PHS、IP電話、スマートフォンやパーソナルコンピュータで動作する音声通信ソフトウェアに通知を行う親機と圧力センサと無線送信機を備えた子機を用いることで、アパートやマンションでの部屋ごとの配管の監視が可能となる。
【００３４】
（１）、（２）、（３）の発明を用いることで、これまでは配管に接続した圧力センサや圧力計を１日１回確認することで異常が発生していないか確認していた作業が不要となる。そのため、複数の建物を確認することに必要とされていた人件費や交通費などのコストを少なくすることが可能となる。また、音声通信の通知回数のみで装置の正常動作と配管の異常を検出するため、データ通信をおこなうための通信機器や特殊な無線通信装置は必要なく、装置の製造コストを少なくでき安価な装置を提供することが可能にある。さらに、本発明の装置を複数設置することで、複数の建物の配管異常検査が少ない人員で可能となる。
【図面の簡単な説明】
【００３５】
【図１】第１実施形態を説明する略図。
【図２】第１実施形態の制御装置の動作を説明するフローチャート。
【図３】ガス管を対象とした第１実施形態の使用例。
【図４】第１実施形態を用いた装置の略図。
【図５】第２実施形態を説明する略図。
【図６】ガス管と水道管を対象とした第２実施形態の使用例。
【図７】第２実施形態の制御装置の動作を説明するフローチャート。
【図８】第３の実施形態を説明する略図
【図９】第３の実施形態の使用例。
【図１０】子機を複数にした第３の実施形態の使用例。
【図１１】親機と子機に複数の圧力センサを取り付けた第３の実施形態の使用例。
【図１２】第３の実施形態を用いたガス管と水道管を対象とした集合住宅での使用例。
【図１３】第３の実施形態を用いた装置（親機）の略図。
【図１４】第３の実施形態を用いた装置（子機）の略図。
【発明を実施するための形態】
【００３６】
以下に本発明について具体化した形態をあげ、図面に基づいて詳細に説明する。
[第１実施形態]
図１は、第１実施形態の配管異常通知装置の概略図である。この図１に示したように本実施形態にかかる配管異常通知装置は、音声通信回線で通信が可能な携帯電話１（「本発明の音声回線を用いて発信可能な通信手段）に相当）、電気信号の変化を検出し、あらかじめ設定されている電話番号に通知を行うことが可能な制御装置２、圧力の変化を電気信号により検出する圧力センサ３から構成されている。制御装置２は、ガスや水道の配管の圧力変化を検出する圧力センサ３と電気的に接続されており、圧力センサ３の変化を電気信号により検出することが可能となっている。図１では、制御装置２の電力は携帯電話の電池から供給を受ける構成となっている。制御装置２は圧力センサ３の変化を検出することで配管の異常を感知し、あらかじめ設定した電話番号に携帯電話１を用いて装置の正常動作と配管の異常を意味する回数の通知を行うことができる。
【００３７】
図１に示した携帯電話１「本発明の音声回線を用いて発信可能な通信手段」に相当」は市販の携帯電話を用いることが可能であるが、ＰＨＳやIP電話、声通信用アプリケーションプログラムが動作しているスマートフォンやパーソナルコンピュータを用いても良い。制御装置２は、通常ワンチップコンピュータやマイコンボードで構成されるが、もちろん、パソコン、FA用コンピュータ、PLCなどを用いて構成しても良い。また、電力の供給は別途外付けの電池を使用しても良いし、コンセントやACアダプタを用いて供給する構成としても良い。圧力センサとしてはダイヤフラムと機械的スイッチで構成された圧力スイッチや半導体圧力センサを用いることが可能である。
【００３８】
以下図２のフローチャートに基づいて本実施形態のアルゴリズムを説明する。図２は第１実施形態での配管異常を監視するためのプログラムのフローチャートである。
この図２に示すようにまず、本実施形態においては、あらかじめ空気や窒素ガスにより予圧した配管の圧力変化を圧力センサ３により計測し、圧力センサからの出力の有り無を含めた圧力に相当する電気信号を制御装置２により読み込む（ステップS201）。
【００３９】
次に制御装置２により読み込んだ配管内の圧力に相当する電気信号の変化があるかないかを調べる（ステップS202）。圧力の変化の判定の結果、圧力センサ３の出力に変化があった場合（S202にて「YES」の場合）は、配管に異常があったと判断し、配管の異常を意味する回数の通知を音声通信回線で通信が可能な携帯電話１により行う（ステップS203）。配管異常を意味する回数の通知を行った後プログラムは終了する。なお、このときLEDやLCD出力装置を用いて配管の異常を意味する出力を行っても良い。
【００４０】
圧力の変化の判定の結果、変化がない場合は（S202にて「NO」の場合）には圧力センサ３により計測を実施した時間からの経過時間を算出する（ステップS204）。
【００４１】
次に経過時間が事前に設定した一定の時間経過したか経過していないかの判定を行う（ステップS205）。一定時間経過していなければ（S205にて「NO」の場合）、S201のステップに戻り、あらかじめ空気や窒素ガスにより予圧した配管の圧力変化を圧力センサ３により計測し、圧力に相当する電気信号を制御装置２により読み込み、以下の処理を繰り返す。
【００４２】
一定時間経過していれば（S205にて「YES」の場合）、一定の時間内にS201からS205の処理が何回実施されたかを算出することで、プログラムが正常に動作しているか動作確認処理を実施する(ステップS206)。
【００４３】
正常に動作しているか確認処理の判定を行い(ステップS207)、電池不足、装置故障、プログラムエラー、外的な要因によりプログラムが正常に動作していなければ、一定時間に実施されるプログラムの回数が少なくなるもしくはプログラムが実施されなくなるため、装置に異常があると判断し（S207にて「NO」の場合）終了する。
【００４４】
一定時間内にS201からS205の処理があらかじめ決められた回数実施されていれば正常と判断し（S207にて「YES」の場合）、正常動作を意味する回数の通知を音声通信回線で通信が可能な携帯電話１により行う（ステップS208）。
【００４５】
ステップS208の通知が行われた後は、ステップS201に戻り、以下の処理を繰り返す。
【００４６】
一定の時間間隔を２４時間としておけば、配管異常通知装置を設置し起動した時間に正常動作を意味する通知が毎日送られてくることになり、装置が正常に動作していることを確認できる。
【００４７】
通知の回数や時間により装置の正常動作と配管の異常を検出するため、電話を受ける側は特殊な装置は必要なく電子メール機能が無い固定電話や携帯電話で良い。もちろん電子メール機能がある携帯電話やナンバー表示機能が付いた固定電話なども使用可能である。
【００４８】
図３は第１の実施形態の具体的な使用例である。第１の実施形態の構成要素である携帯電話１、制御装置２、圧力センサ３に外部電池４を追加し、まとめて持ち運び可能なケース５に収納している。圧力センサは建家に設置されている配管に接続するための配管コネクタ６と接続されており、建物内や造成地等でガスや水道の配管を行っている現場に持ち込み、配管コネクタ６を用いて施工が終わった配管に接続し、監視を行うことが可能となっている。
【００４９】
ガス管を対象とした使用例を図４示す。この使用例ではガス管用コネクタ6aを用いて配管工事が終わった後のガス管に、本発明の配管異常通知装置を接続した例である。ガス管の施工後に実施される内装工事などでガス配管にくぎなどによる破損が発生しないか通常１週間から１月ほど連続して監視を行う。
【００５０】
ガスや水道の配管７にあらかじめ空気もしくは窒素ガスにより一定の圧力をかけておき、配管内の圧力が低下したら出力が変化する圧力センサ３を接続コネクタ６aで接続し、圧力センサの変化を電気信号により検出する検出手段を有した制御装置２と、この制御装置２からの指令信号により音声回線を用いて発信可能な通信手段１を持ち、配管に異常がなく圧力センサの変化がない場合は、事前に設定した装置が正常に動作していることを表す回数の通知を、音声回線を用いた通信手段を用いて一定の時間内であらかじめ設定した間隔で行い、配管に異常が発生し圧力センサの変化があった場合は、事前に設定した配管の異常を表す回数の通信を音声回線を用いて発信可能な通信手段を用いて一定の間隔で行うことで、メールなどのデータ通信を使用しなくとも監視を行うことが可能となる。
【００５１】
なお、電力の供給を大容量の電池やAC電源、ACアダプタなどで行うことで監視期間をのばすことが可能となる。
【００５２】
[第２実施形態]
図５に第２の実施形態の略図を示す。第２の実施形態は複数系統の配管を同時に監視するために圧力センサ３を複数搭載した形態である。
【００５３】
建築現場では通常ガス管と水道管の２系統の配管が存在する。そのためガス管と水道管の敷設工事が終了し、顧客に家屋を引き渡すまでにガス管と水道管に異常が無いか監視する必要がある。第２の実施形態は圧力センサを複数つけることで２系統以上の配管の同時監視に対応した形態である。
【００５４】
この実施形態を用いれば複数のガス管や水道管を同時に監視することが可能となり、建築現場で監視する必要があるガス管と水道管の異常監視を１台の装置で同時にできる。
【００５５】
一例としてガス管と水道管を対象とした使用例を図６に示す。この実施例では圧力センサ３aにガス管用のコネクタ6aを、圧力センサ3bに水道管用のコネクタ6bをそれぞれ取り付け、ガス管７と水道管８の異常監視を同時に行うよう設定したものである。ガス管および水道管にはそれぞれ空気もしくは窒素ガスを用いて大気圧より2kPa〜１０ｋPa高い圧力をかけ、圧力の低下がないかを１０日から１ヶ月にわたり監視する。ガス管や水道管に異常が発生した場合、管内の圧力が低下し、圧力センサ３の出力が変化し、制御装置２により圧力センサ３の変化を検出し、変化があった場合は配管の異常を意味する回数の通知を一定時間以内に携帯電話１を用いて行う。一定時間以内に通知を行う回数を系統ごとに設定しておけば、どの系統の配管に異常が発生したかを遠隔地から把握可能である。
【００５６】
制御装置にLEDやLCD表示器のような表示装置を取り付け、どの系統の配管に異常が発生したか表示してもよい。
【００５７】
以下図７のフローチャートに基づいて第２実施形態のアルゴリズムを説明する。図７は第２実施形態での配管異常を監視するためのプログラムのフローチャートである。
この図７に示すようにまず、本実施形態においては、あらかじめ空気や窒素ガスにより与圧した配管7の圧力変化を圧力センサ３aにより計測し、圧力に相当する電気信号を制御装置２により読み込む（ステップS701）。
【００５８】
次に、制御装置２により読み込んだ配管７内の圧力に相当する電気信号の変化があるかないかを調べる（ステップS702）。圧力の変化の判定の結果、圧力センサ3aの変化があった場合（S702にて「YES」の場合）には、配管7に異常があったと判断し、配管7の異常を意味する回数の通知を音声通信回線で通信が可能な携帯電話１により行う（ステップS703）。管異常を意味する回数の通知を行った後プログラムは終了する。なお、このときLEDやLCD出力装置を用いて配管7の異常を意味する出力を行っても良い。
【００５９】
圧力の変化の判定の結果、変化がない場合は（S702にて「NO」の場合）にはあらかじめ空気や窒素ガスにより予圧した配管8の圧力変化を圧力センサ３bにより計測し、圧力に相当する電気信号を制御装置２により読み込む（ステップS704）。
【００６０】
次に、制御装置２により読み込んだ配管8内の圧力に相当する電気信号の変化があるかないかを調べる（ステップS705）。圧力の変化の判定の結果、圧力センサ3 bの変化があった場合（S705にて「YES」の場合）には、配管８に異常があったと判断し、配管８の異常を意味する回数の通知を音声通信回線で通信が可能な携帯電話１により行う（ステップS706）。管異常を意味する回数の通知を行った後プログラムは終了する。なお、このときLEDやLCD出力装置を用いて配管8の異常を意味する出力を行っても良い。
【００６１】
圧力センサ3bの変化の判定の結果、変化がない場合は（S705にて「NO」の場合）には圧力センサ３bにより計測を実施した時間からの経過時間を算出する（ステップS707）。
【００６２】
次に、経過時間が事前に設定した一定の時間経過したか経過していないかの判定を行う（ステップS708）。一定時間経過していなければ（S708にて「NO」の場合）、S701のステップに戻り、あらかじめ空気や窒素ガスにより与圧した配管の圧力変化を圧力センサ３aにより計測し、圧力に相当する電気信号を制御装置２により読み込み、以下の処理を繰り返す。
【００６３】
一定時間経過していれば（S708にて「YES」の場合）、一定の時間内にS701からS707の処理が何回実施されたかを算出することで、プログラムが正常に動作しているか動作確認処理を実施する(ステップS709)。
【００６４】
正常に動作しているか確認処理の判定を行い(ステップS710)、電池不足、装置故障、プログラムエラー、外的な要因によりプログラムが正常に動作していなければ、一定時間に実施されるプログラムの回数が少なくなるかプログラムが実施されなくなるため、装置に異常があると判断し（S710にて「NO」の場合）終了する。
【００６５】
一定時間内にS701からS707の処理があらかじめ決められた回数以上実施されていれば正常と判断し（S710にて「YES」の場合）、正常動作を意味する回数の通知を音声通信回線で通信が可能な携帯電話１により行う（ステップS711）。
【００６６】
ステップS7011の通知が行われた後は、ステップS701に戻り、以下の処理を繰り返す。
【００６７】
なお２個以上の圧力センサを用いる場合はS701からS703と同様の処理が圧力センサを増やした数と同じ回数繰りS705以降に追加される。
【００６８】
[第３実施形態]
図８に第３の実施形態の略図を示す。第３の実施形態は、圧力センサ３に圧力センサ３の変化を感知し、無線により送信する無線送信機１０を取り付け、無線送信機１０から送信されてくる圧力センサ３の変化に関係する信号を受信する無線受信機９を携帯電話１に接続されておりあらかじめ設定した電話番号に通知を行うことができる制御装置２に接続した実施形態である。無線通信により圧力センサ３の変化を制御装置２に通知することで、圧力センサ３を離れた場所に設置することが可能となる。便宜上、圧力センサ３と無線送信機１０により構成される装置を子機、無線受信機９、携帯電話１，制御装置２で構成される装置を親機と呼称する。
【００６９】
無線送信機１０、無線受信機９としては送信機能、受信機能のみを持った無線通信モジュールを使用しても良いし、送受信機能を持った無線スイッチモジュールやデジタル通信モジュールを使用しても良い。
【００７０】
図９に第３の実施形態で子機の数を増やした実施例を示す。子機は圧力センサ３と圧力センサ３の出力を無線信号により送信する無線送信機１０で構成されている。同様の構成を持った子機を複数台設置することで系統が異なる複数の配管を同時に監視することが可能となる。各圧力センサ３は各無線送信機１０にそれぞれ接続されており、圧力センサ３の変化を、無線送信機１０を用いて無線受信機９に送ることが可能である。無線受信機９は、制御装置２に接続されており、圧力センサ３のいずれかに変化があった場合は、あらかじめ設定されている電話番号に携帯電話１の音声通信回線を用いて配管の異常を意味する回数の通知を一定時間内で行う。この実施形態では複数の圧力センサを離れた場所に設置可能であるため、離れた場所に設置されている複数系統の配管を同時に監視することが可能になる。
【００７１】
図１０に第３の実施形態の中で、制御装置２にも圧力センサ３を取り付けた実施例を示す。この実施例を用いればアパートやマンション、集合住宅では部屋ごとに個別の配管が行われる建物の配管異常の監視を同時に実施することが可能である。
【００７２】
図１１に制御装置２にガス配管用圧力センサ３aと水道配管用圧力センサ3bを取り付けた実施例を示す。この実施例では子機の送信機１０にもそれぞれガス配管用圧力センサ３aと水道配管用圧力センサ3bが取り付けられている。そのため、アパートやマンション、集合住宅では部屋ごとのガス配管と水道配管を同時に監視することが可能である。
【００７３】
図１２にガス管と水道管を対象とした集合住宅での使用例を示す。アパート、マンション、集合住宅で部屋ごとに付されている系統が異なるガス配管および水道配管を圧力センサ３a、３bと無線送信機10から構成されている子機を設置することで、各部屋ごとに敷設されているガス配管と水道配管の異常を同時に監視することが可能となる。
【００７４】
集合住宅１２の部屋ごとに設置されているガス管７および水道管8にはそれぞれ圧力センサ３a 、３bが取り付けられている。圧力センサ３a、３bの出力変化は無線送信機１０を用いて無線受信機９に送られる。携帯電話１に取り付けられている制御装置２は制御装置２に取り付けられている圧力センサ３a、３bおよび無線受信機９から送られてくる圧力センサの出力に変化があった場合は配管の異常を意味する回数の通信を事前に設定された電話番号に携帯電話１を用いて一定の間隔で行う。配管に異常が発生しない場合は事前に設定された時間間隔で装置が正常に動作していることを意味する回数の通知を行う。このことにより、複数の部屋に設置されているガス管と水道管を同時に監視することができる。
【００７５】
図１３と図１４に第３の実施形態の実際の使用例を示す。便宜上図１２に示した形態を親機、図１３に示した形態を子機と呼ぶ。親機と子機により構成された形態である。図１２に示した親機は、携帯電話１、制御装置２、圧力センサ３、電池４、配管コネクタ６、受信機９、を持ち運び可能なケース５に収納した実施形態である。また図１３に示した子機は、圧力センサ３、電池４、配管コネクタ６、送信機１０を持ち運び可能なケース５に収納した実施形態である。図１２に示した親機は単独で使用することも可能であるが、複数の図１３に示した子機と同時に使用することで、マンション、アパート、集合住宅などの建物内や造成地等でガスや水道の複数の配管を監視することが可能となる。
【００７６】
本発明を用いることで安価な装置、安価な通信手段でガス管や水道管の監視が可能となり、建物の工事を行う場合に実施する配管工事の後ガス管や水道管の配管が破損されていないか遠隔地から監視することが可能となる。
【符号の説明】
【００７７】
１  携帯電話
２  制御装置
３  圧力センサ
3a  ガス配管に接続されている圧力センサ
3b  水道配管に接続されている圧力センサ
４  電池
５  ケース
６  配管コネクタ
６a ガス用配管コネクタ
６b  水道用配管コネクタ
７  ガス配管
８  水道配管
９  無線受信機
１０  無線送信機
１１  集合住宅
【図１】
2014103610.tif 000003
【図２】
2014103610.tif 000004
【図３】
2014103610.tif 000005
【図４】
2014103610.tif 000006
【図５】
2014103610.tif 000007
【図６】
2014103610.tif 000008
【図７】
2014103610.tif 000009
【図８】
2014103610.tif 000010
【図９】
2014103610.tif 000011
【図１０】
2014103610.tif 000012
【図１１】
2014103610.tif 000013
【図１２】
2014103610.tif 000014
【図１３】
2014103610.tif 000015
【図１４】
2014103610.tif 000016